(57)【要約】【課題】鋏が不用意に落下することにより露出した切刃部で床等が傷付けられるのを防止した鋏を提供することができる。【解決手段】切刃部及び柄部１９，２０を有する一対の鋏片１４，１５を前記切刃部及び柄部の間に設けられた回動中心軸より前記切刃部どうしを開閉可能に支持し、柄部１９，２０に指掛孔２４ａ，２５ａを有する把持部２４，２５をそれぞれ設けた鋏１１において、該鋏を使用時にポケット等の所定の箇所に繋ぎ止めるための紐としてのストラップ１２を前記把持部に取り付けた。【選択図】      図１
2004222854.tif 000002
【特許請求の範囲】
【請求項１】
切刃部及び柄部を有する一対の鋏片を前記切刃部及び柄部の間に設けられた回動中心軸において前記切刃部どうしを開閉可能に支持し、前記柄部に指掛孔を有する把持部をそれぞれ設けた鋏に、該鋏を使用時に所定の箇所に繋ぎ止めるための紐を前記把持部に取り付けた紐付き鋏。
【請求項２】
前記把持部は、前記紐が取り付けられる取付部を備え、該取付部は、前記把持部において、前記切刃部が閉状態における該切刃部の先端と前記回動中心軸とを結ぶ直線と平行であって、尚かつ前記指掛孔の略中心点を含む一対の仮想線の間に設けられている請求項１に記載の紐付き鋏。
【請求項３】
前記紐は、該紐の端部に前記所定の箇所を挟持するための挟持手段を設けた請求項１又は請求項２に記載の紐付き鋏。
【請求項４】
前記紐に伸縮性を有する伸縮部を設けた請求項１から請求項３のうちいずれか一項に記載の紐付き鋏。
【請求項５】
前記取付部は、一対の把持部のうち、使用者の親指以外の指が挿入される指掛孔の存在する側の把持部に設けられている請求項１から請求項４のうちいずれか一項に記載の紐付き鋏。
【発明の詳細な説明】
【０００１】
【発明の属する技術分野】
本発明は、紐付き鋏に関する。
【０００２】
【従来の技術】
一般に、鋏は、切刃部及び柄部を有する一対の鋏片が回動中心軸において回動可能に支持された構成とされている。従来より、鋏を取り扱う上で切断対象物等が傷つくのを防止するために特許文献１に開示された鋏が知られている。特許文献１に開示されている鋏は、切刃の先端部を半球状の膨出体を設けたことを特徴としている。かかる構成により、使用時において、切刃の先端で切断対象物又は机等を傷付けるおそれがなく、また、鋏をポケット等の所定の箇所に収容した時、切刃の先端でポケットを傷付けることがない。
【０００３】
【特許文献１】
特開平８−７１２６１号公報（図１）
【０００４】
【発明が解決しようとする課題】
ところが、鋏を使用する際、誤って鋏を落下させた場合には、鋏片の切刃部、鋏の重さ等によりにより床等を傷つけるおそれがある。
【０００５】
本発明は、前述した事情に鑑みなされたものであって、その目的は、鋏が不用意に落下することにより露出した切刃部で床等が傷付けられるのを防止した鋏を提供することにある。
【０００６】
【課題を解決するための手段】
上記目的を達成するために、請求項１に記載の発明は、切刃部及び柄部を有する一対の鋏片を前記切刃部及び柄部の間に設けられた回動中心軸において前記切刃部どうしを開閉可能に支持し、前記柄部に指掛孔を有する把持部をそれぞれ設けた鋏に、該鋏を使用時に所定の箇所に繋ぎ止めるための紐を前記把持部に取り付けたことを要旨とした。
【０００７】
請求項１の構成における紐は、鋏の把持部と所定の箇所とを連結する。鋏は、この紐による所定の箇所との連結状態のまま、切刃部どうしが開閉動作される。この場合、使用者が誤って鋏を落としたとしても、紐によって所定の箇所に連結されていることから、鋏は所定の箇所にぶら下がり保持される。紐は、鋏の非使用時においても鋏と所定の箇所とを連結し、鋏は所定の箇所に保持され得るが、この場合の鋏の保持が紐の機能のみによるものとは限らない。
【０００８】
請求項２に記載の発明は、請求項１に記載の発明において、前記把持部は、前記紐が取り付けられる取付部を備え、該取付部は、前記把持部において、前記切刃部が閉状態における該切刃部の先端と前記回動中心軸とを結ぶ直線と平行であって、尚かつ前記指掛孔の略中心点を含む一対の仮想線の間に設けられていることを要旨とした。
【０００９】
請求項２の構成における取付部は一対の仮想線の間に位置するように把持部に設けられていることから、例えば、使用者が誤って鋏を落として鋏が所定の箇所に紐でぶら下がり保持された場合、一対の切刃部どうしの開度を大きくするような力が極力作用しない。万一、一対の仮想線の間に取付部がなければ、上記のような場合、一対の切刃部どうしの開度はより大きくなる可能性が高い。
【００１０】
請求項３に記載の発明は、請求項１又は請求項２に記載の発明において、前記紐は、該紐の端部に前記所定の箇所を挟持するための挟持手段を設けたことを要旨とした。
【００１１】
請求項４に記載の発明は、請求項１から請求項３のうちいずれか一項に記載の発明において、前記紐に伸縮性を有する伸縮部を設けたことを要旨とした。
請求項５に記載の発明は、請求項１から請求項４のうちいずれか一項に記載の発明において、前記取付部は、一対の把持部のうち、使用者の親指以外の指が挿入される指掛孔の存在する側の把持部に設けられていることを要旨とした。使用者の親指が挿入される指掛孔と使用者の親指以外の指が挿入される指掛孔とを比べると、通常、後者の指掛孔を下側にして使用するケースが多い。取付部は、下側に位置することが多い方の指掛孔に設けられているため、切刃部どうしを開閉動作させる上で邪魔になることが少ない。
【００１２】
【発明の実施の形態】
以下、本発明をストラップ付き鋏に具体化した一実施形態を図１〜図３にしたがって説明する。
【００１３】
図１〜図３に示すように、ストラップ付き鋏１０は、鋏１１、紐としてのストラップ１２、挟持手段としてのクリップ１３から構成される。鋏１１は、ステンレス製の一対の鋏片１４，１５から構成され、表面がフッ素コーティングされている。また、鋏片１４，１５は、回動中心軸１６において積層状態で摺動可能に支持されている。
【００１４】
鋏片１４，１５の回動中心軸１６より先端側（切断側）には、切刃部１７，１８がそれぞれ設けられ、反対側の基端側（把持側）には、柄部１９，２０がそれぞれ設けられている。
【００１５】
また、鋏片１４，１５は、図１及び２に示すように鋏片１４，１５の先端又は切刃部１７，１８が重なり合った状態（閉状態）から図３に示すような鋏片１４，１５の先端又は切刃部１７，１８が離れた状態（開状態）に回動可能な構成とされている。また、以下の鋏１１の説明において、「上側」「下側」という場合は、一対の鋏片１４，１５が開状態を示す図３において上方を上側とし、下方を下側とするものとする。
【００１６】
回動中心軸１６の端部に設けられた軸頭部２１と鋏片１４の間には、樹脂製リング２２がはめ込まれ、鋏の回動動作により軸頭部２１がフッ素コーティングされた鋏片１４の表面を傷付けるのを防止している。
【００１７】
鋏片１４の切断側の先端部は、図３に示すように切断対象物を切断する際の開状態にある鋏１１において、鋏片１５の切断側の先端部より下側に位置し、また、樹脂製の被覆体２３により被覆されている。そのため、鋏片１４は、被覆体２３により被覆された分、回動中心軸１６から鋏片１４の先端までの長さが、鋏片１５の回動中心軸１６から先端までの長さに比べて長くなっている。したがって、かかる被覆体２３の構成により図１に示すような閉状態において、鋏１１の切断側の先端部で切断対象物等を傷付けるおそれがなく、また、図３に示すような切断対象物を切断する際、下側に位置する鋏片１４の切断側の先端部で机、切断対象物等を傷付けるおそれはない。
【００１８】
柄部１９の先端には、把持部２４が設けられ、把持部２４には、親指を貫通するための指掛孔２４ａが形成されている。同様に柄部２０の先端には、把持部２５が設けられ、把持部２５には、人差指、中指を貫通するための指掛孔２５ａが形成されている。また、把持部２４には、把持部２５と当接するための突出部２４ｃが、指掛孔２４ａ，２５ａの中間に設けられている。かかる突出部２４ｃが、接触部２６において把持部２５と当接することにより、鋏片１４，１５の開状態から閉状態への回動が停止される。
【００１９】
把持部２５の接触部２６の近傍には、鋏片１５の長手方向の約１／４の長さを有する平板棒状の掛止片２７が設けられている。また、掛止片２７は、切刃部１７，１８が閉状態における該切刃部の先端と回動中心軸１６とを結ぶ直線Ｌ１と平行に且つ直線Ｌ１の近傍に取り付けられている。掛止片２７には、回動中心軸１６側の端部に係止凸部２８が設けられ、係止凸部２８が設けられた端部とは反対側の端部には固定部２９が設けられている。掛止片２７は、固定部２９を介し把持部２５に固定されている。また、掛止片２７は可撓性の樹脂で成形されていることから、係止凸部２８は把持部２５と接離可能に構成されることになる。
【００２０】
また、ストラップ１２を取付けるための取付部としての貫通孔３０が、図３において示されるような開状態において、把持部２４より下側にくる把持部２５に設けられている。また、貫通孔３０は、切刃部１７，１８が閉状態における該切刃部の先端と回動中心軸１６とを結ぶ直線Ｌ１と平行であって、尚かつ指掛孔２４ａ，２５ａの略中心点２４ｂ，２５ｂを含む一対の仮想線Ｌ２の間に形成される。さらに、貫通孔３０は、好ましくは鋏片１４の把持側の末端寄りに形成される。換言すれば、直線Ｌ１に直交し、尚かつ前記指掛孔２４ａ，２５ａのそれぞれの略中心点２４ｂ，２５ｂを含む２線の仮想線よりも回動中心軸１６から離間した位置に貫通孔３０は設けられている。それらにより、切断対象物を切断する際、連結紐３３を親指以外の指の把持内に収めて、又は連結紐３３を親指以外の指に絡ませて使用することができ、ストラップ１２が、邪魔になることはない。
【００２１】
紐としてのストラップ１２は、コイル紐３２、及び鋏１１とストラップ１２を連結するための連結紐３３から構成され、また、コイル紐３２は、可撓性の樹脂又はゴム等により成形されている。コイル紐３２には、コイル状の伸縮部としてのコイル部３１が形成され、そして、コイル紐３２は、コイル部３１の伸縮により、若しくは材料である可撓性の樹脂又はゴム自体の伸縮により、伸縮可能に構成されている。また、コイル部３１の伸縮力は、鋏１１の重さでは、容易に伸びないが、人の力で容易に引き伸すことができる強さに調整されていることが好ましく、また、非伸長時１に対し、鋏１１の重さにより１．３、人の力で最大６伸長することがより好ましい。
【００２２】
コイル紐３２の両端には、端部をＵターン状に折り返した状態でその先端をコイル紐３２の本体部分に接着又は溶着させることによって形成されたＵターン状リング部３４，３５が設けられている。Ｕターン状リング部３４には、リング部材３６を介し連結紐３３が取り付けられ、Ｕターン状リング部３５には、挟持手段としてのクリップ１３が取り付けられている。ストラップ１２は、貫通孔３０に連結紐３３を貫通させ、貫通孔３０から突出した連結紐３３の輪状部分に、コイル紐３２を通すことにより、鋏１１と連結している。
【００２３】
クリップ１３は、開閉自在に一対の挟持片３７，３８により構成され、挟持片３８の端部には、Ｕターン状リング部３５と連結するための連結孔３９が設けられている。
【００２４】
次に、前述のように構成されたストラップ付き鋏１０の作用を図３に基づいて説明する。
まず、ストラップ付き鋏１０は、クリップ１３の挟持片３７，３８により、鋏を繋ぎ止めるため、服のポケット４０の開口部４１等、所定の箇所に取り付けられる。鋏１１により切断対象物を切断する場合、ポケット４０に収納されているストラップ付き鋏１０を取り出して、把持部２４に親指を貫通し、把持部２５に人差指、中指を貫通することにより、把持部２４，２５を把持し、切断対象物に鋏１１を近づけて使用する。鋏１１は、紐としてのストラップ１２により、ポケット４０に取り付けられた状態を維持しながら切断対象物に近づけることができる。
【００２５】
切断対象物を切断する際、連結紐３３を親指以外の指の把持内に収めて、又は連結紐３３を親指以外の指に絡ませて使用する。それにより、鋏１１による切断対象物の切断の際、ストラップ１２が、邪魔になることはない。また、連結紐３３を取り付ける貫通孔３０は、連結紐３３を把持する人差指と中指を貫通する指掛孔２５ａが設けられている把持部２５側に設けられているため、親指で把持する把持部２４に貫通孔３０を設けた場合に比べ、ストラップ１２による切断対象物の切断の阻害が一層防止される。
【００２６】
また、切断対象物がストラップ付き鋏１０を取り付けたポケット４０の開口部４１から遠い場合、ストラップ１２のコイル部３１が伸長することにより、ストラップ付き鋏１０がストラップ１２を介しポケット４０に取り付けられた状態を維持しながら鋏１１を切断対象物に近づけることができる。
【００２７】
また、鋏１１を誤って手から落とした場合であっても、挟持片３７、３８がポケット４０の開口部４１を挟持しているため、また、コイル部３１が鋏１１の重さにより非伸縮時に比べ１．３倍しか伸長しないため、ストラップ付き鋏１０が、落下により床等に接触することはない。
【００２８】
また、ポケット４０に収容してある鋏１１をポケット４０から取り出す際、又は鋏１１をポケット４０に収容する際、連結紐３３を手で把持することにより鋏１１の取り出し等を行えば、鋏１１を不用意に閉状態から開状態に変化しにくい鉛直状態に保つことができる。つまり、貫通孔３０は、直線Ｌ１と平行であって、尚かつ指掛孔２４ａ，２５ａの略中心点２４ｂ，２５ｂを含む一対の仮想線Ｌ２の間に設けられているため、連結紐３３を手で把持し、鋏１１を吊下げると閉状態にある鋏１１を鉛直状態に維持することができるのである。それにより、鋏１１が不用意に閉状態から開状態に変化し、切刃部１７，１８が露出することはないのである。
【００２９】
また、鋏１１をポケット４０に収容した際、直線Ｌ１と平行に且つ直線Ｌ１の近傍に設けられた掛止片２７により、ポケット４０の開口部４１に鋏１１を鉛直状態で安定係止させることができる。
【００３０】
ポケット４０の開口部４１に取り付けられたストラップ付き鋏１０を、机の引き出し、筆箱等に収容する場合は、クリップ１３の挟持片３７，３８を開くことにより、容易にポケット４０の開口部４１からストラップ付き鋏１０を取り外すことができる。
【００３１】
本実施形態のストラップ付き鋏１０によれば、以下のような効果を得ることができる。
（１）本実施形態では、鋏１１の把持部２５に、ストラップ１２を取り付けるための貫通孔３０を設け、該貫通孔３０に、ストラップ１２を取り付けた。したがって、鋏１１をストラップ１２を介し、服のポケット４０に取り付けることにより、ストラップ付き鋏１０がストラップ１２を介しポケット４０に取り付けられた状態を維持することが可能となり、鋏１１の落下、紛失、置き忘れ等を防止することができる。
【００３２】
（２）本実施形態では、ストラップ１２を取り付けるため取付部として貫通孔３０を、切刃部１７，１８が閉状態における該切刃部の先端と回動中心軸１６とを結ぶ直線Ｌ１と平行であって、尚かつ指掛孔２４ａ，２５ａの略中心点２４ｂ，２５ｂを含む一対の仮想線Ｌ２の間に設けた。したがって、鋏１１をポケット４０から取り出す際、又はポケットに収容する際、連結紐３３を把持することにより、閉状態における鋏１１を鉛直状態に維持することができる。そのため、鋏１１が不用意に閉状態から開状態に変化し、切刃部１７，１８が露出することにより、ポケット４０が傷付くことはない。
【００３３】
また、一対の仮想線Ｌ２の間に取り付けられたストラップ１２を構成する連結紐３３を親指以外の指の把持内に収めて、又は連結紐３３を親指以外の指に絡ませて使用することができるため、鋏１１を使用する際、ストラップ１２が邪魔になることはない。
【００３４】
（３）本実施形態では、挟持片３７，３８より構成されるクリップ１３をストラップ１２の鋏１１が連結されている端部とは反対側の端部に取り付けた。したがって、ストラップ付き鋏１０をポケット４０の開口部４１に容易に取付けることができ、また、ストラップ付き鋏１０を机の引き出し等に収容する場合は、容易にポケット４０の開口部４１から取り外すことができる。
【００３５】
（４）本実施形態では、ストラップ１２は、伸縮自在なコイル部３１を有するコイル紐３２から構成される。したがって、切断対象物がストラップ付き鋏１０を取り付けたポケット４０の開口部４１から遠い場合であっても、コイル部３１が伸長することにより、ストラップ付き鋏１０がストラップ１２を介しポケット４０に取り付けられた状態を維持しながら鋏１１を切断対象物に近づけることができる。
【００３６】
（５）本実施形態では、貫通孔３０は、把持部２４，２５のうち、通常、使用の際、下側に位置し、連結紐３３を把持する人差指と中指を貫通する指掛孔２５ａが形成される把持部２５側に設けられている。したがって、通常、使用の際、上側に位置する把持部２４に貫通孔３０を設けた場合に比べ、切断対象物を切断する際、ストラップ１２が一層邪魔になることはない。
【００３７】
（６）本実施形態によれば、鋏片１４の切断側の先端は、樹脂製の被覆体２３により被覆されている。したがって、鋏１１をポケット４０に収める際、鋏片１４の切断側の先端でポケット４０の内側を傷つけるおそれがない。また、切断対象物を切断する際、鋏片１４の切断側の先端で切断対象物又は机等を傷つけるおそれがない。
【００３８】
（７）本実施形態では、把持部２５に  ストラップ１２を取り付けるため取付部として貫通孔３０を設けた。したがって、ストラップ１２の連結紐３３を、容易にかつ確実に取り付けることが可能となり、また、把持部２５上においてストラップ１２の取り付け位置がずれることがない。
【００３９】
なお、上記実施形態は以下のように変更してもよい。
・本実施形態では、切断対象物を切断する際、把持部２４より下側にくる把持部２５にストラップ１２を取り付けるための貫通孔３０を設けた。しかしながら、貫通孔３０は、切断対象物を切断する際、把持部２５より上側にくる把持部２４と把持部２５の双方にそれぞれ設けてもよい。また、貫通孔３０は、切断対象物を切断する際、把持部２５より上側にくる把持部２４のみに設けられていてもよい。また、鋏に取り付けるストラップ１２は、複数本でもよい。
【００４０】
・本実施形態では、ストラップ１２において伸縮部としてコイル部３１を設けた。しかしながら、コイル部３１を設ける必要はなく、コイル紐３２の全体又は一部をゴムで成形し、かかるゴム部のみにより、ストラップ１２に伸縮性を付与してもよい。
【００４１】
・本実施形態では、ストラップ１２の末端に挟持手段として、クリップ１３を取り付けた。しかしながら、クリップ１３のような挟持手段を取り付ける必要はなく、ストラップの末端に磁石を取り付けかかる磁石により、机の鉄部等に取り付ける構成にしてもよい。また、ストラップ１２の全体を又は一部をリング状にして、かかるリング部を手首、机等の一部に引っ掛けるような構成にしてもよい。
【００４２】
・本実施形態では、貫通孔３０は、鋏片１４の把持側の末端寄りに形成されている。換言すれば、切刃部１７，１８が閉状態における該切刃部の先端と回動中心軸１６とを結ぶ直線Ｌ１に直交し、尚かつ指掛孔２４ａ，２５ａの略中心点を含むどちらの仮想線よりも回動中心軸１６から離間した位置に設けられている。しかしながら、貫通孔３０は、一対の仮想線Ｌ２の間に形成されていればよく、鋏片１４の把持側の末端寄りに形成されていなくてもよい。
【００４３】
・本実施形態では、貫通孔３０は、切刃部１７，１８が閉状態における該切刃部の先端と回動中心軸１６とを結ぶ直線Ｌ１と平行であって、尚かつ指掛孔２４ａ，２５ａの略中心点２４ｂ，２５ｂを含む一対の仮想線Ｌ２の間に設けた。しかしながら、貫通孔３０は、仮想線Ｌ２上に設けられてもよい。
【００４４】
・本実施形態では、貫通孔３０は、切刃部１７，１８が閉状態における該切刃部の先端と回動中心軸１６とを結ぶ直線Ｌ１と平行であって、尚かつ指掛孔２４ａ，２５ａの略中心点２４ｂ，２５ｂを含む一対の仮想線Ｌ２の間に設けた。しかしながら、貫通孔３０は、仮想線Ｌ２の間に設けられていなくてもよく、把持部２４，２５のいずれかの箇所に設けられてもよい。
【００４５】
・本実施形態では、把持部２５にストラップ１２の取付部として貫通孔３０を設けた。しかしながら、ストラップ１２の取り付け用の貫通孔３０を設ける必要はなく、指掛孔２５ａに連結紐３３を通して、ストラップ１２を鋏１１に取り付けてもよい。そのとき、連結紐３３の移動を防止するために、指掛孔２５ａの内周面に凹部又は凸部を設けてもよい。また、連結紐３３を引っ掛けるための凸状の掛止部を把持部２５に設けてもよい。
【００４６】
・本実施形態では、挟持手段としてのクリップ１３により鋏１１をポケット４０の開口部４１に取り付けた。しかしながら、鋏１１をクリップ１３によりポケット等の衣類以外の所定の箇所に取り付けてもよく、机、筆箱等に取り付けてもよい。かかる構成によれば、鋏１１の落下、紛失等を防止することができる。
【００４７】
・本実施形態では、上側に位置する鋏片１５の先端部においては、鋏片１４に設けられた被覆体２３のみにより切断対象物等の傷付きを防止することができるため、被覆体２３は、鋏片１４の切断側の先端にのみ設けられている。しかしながら、被覆体は、鋏片１５の切断側の先端にも設けてもよい。
【００４８】
次に、上記実施形態及び別例から把握できる技術的思想について、それらの効果とともに以下に追記する。
（イ）前記把持部に可撓性の樹脂により成形された掛止片を設けた鋏。したがって、この（イ）に記載の発明によれば、鋏を繋ぎ止めるための所定の箇所に鋏を直接引っ掛けることができ、所定の箇所において鋏を鉛直状態で安定係止させることができる。
【００４９】
（ロ）鋏片は、金属で構成され、前記鋏片の表面はフッ素コーティングされている鋏。したがって、この（ロ）に記載の発明によれば、粘着テープ等を切断する場合に、粘着テープの接着面が鋏の切刃部側面に接着しても容易に剥がすことができる。また、鋏の錆の発生を防止することができる。
【００５０】
（ハ）前記回動中心軸の端部に設けられた軸頭部と鋏片の間に樹脂製のリングがはめ込まれている鋏。したがって、この（ハ）に記載の発明によれば、鋏片の回動動作により軸頭部がフッ素コーティングされた鋏片の表面を傷付けるのを防止することができる。
【００５１】
（ニ）前記把持部は、前記紐が取り付けられる取付部を備え、該取付部は、前記把持部において、前記切刃部が閉状態における該切刃部の先端と前記回動中心軸とを結ぶ直線に直交し、尚かつ前記指掛孔の略中心点を含むどちらの仮想線よりも前記回動中心軸から離間した位置に設けられている鋏。したがって、この（ニ）に記載の発明によれば、回動中心軸に近い側に紐が設けられる場合と比較して、切断対象物を切断する際、紐が一層邪魔になることはない。
【００５２】
【発明の効果】
本発明によれば、鋏が不用意に落下することにより露出した切刃部で床等が傷付けられるのを防止した鋏を提供することができる。
【図面の簡単な説明】
【図１】本実施形態のストラップ付き鋏を示す平面図。
【図２】ストラップ付き鋏の鋏部分を示す側面図。
【図３】ストラップ付き鋏の使用状態を示す図。
【符号の説明】
１０  ストラップ付き鋏
１１  鋏
１２  紐としてのストラップ
１３  挟持手段としてのクリップ
１４，１５  鋏片
１６  回動中心軸
１７，１８  切刃部
１９，２０  柄部
２４，２５  把持部
２４ａ，２５ａ  指掛孔
２４ｂ  指掛孔２４ａの略中心点
２５ｂ  指掛孔２５ａの略中心点
３０  貫通孔
３１  コイル部
３７，３８  挟持片
Ｌ１  切刃部が閉状態における切刃部の先端と回動中心軸とを結ぶ直線
Ｌ２  直線Ｌ１と平行であって、尚かつ指掛孔２４ａ，２５ａの略中心点２４ｂ，２５ｂを含む一対の仮想線
【図１】
2004222854.tif 000003
【図２】
2004222854.tif 000004
【図３】
2004222854.tif 000005